(57)【要約】【課題】立体映像を拡大又は縮小処理して、両眼視差量を変化させ、目の疲れやめまいを生じさせることなく、最適な立体感を実現する。【解決手段】画面の中央の映像区間を拡大し画面の周辺の映像区間を縮小することで、両眼視差量の大きな、立体感を強調した立体映像信号を得ることができ、画面の中央の映像区間を縮小し画面の周辺の映像区間を拡大することで、両眼視差量が減少し、立体感を和らげた立体映像信号を得ることができる。また、画面の中央の映像区間と周辺の映像区間を遷移する映像区間を、非線形スケーリングでつなげることで見えない映像区間が存在しなくなる。【選択図】  図４Ａ
2011254414.tif 000002
【特許請求の範囲】
【請求項１】
立体映像信号の中央の映像区間を、所望の立体感に応じた倍率で拡大し又は縮小する中央領域制御処理部と、
前記中央領域制御処理部が前記中央の映像区間を拡大したときに、前記立体映像信号の周辺の映像区間を対応する倍率で縮小処理し、前記中央領域制御処理部が前記中央の映像区間を縮小したときに、前記立体映像信号の周辺の映像区間を対応する倍率で拡大処理する周辺領域制御処理部と、
前記中央の映像区間と前記周辺の映像区間を遷移する映像区間において、前記中央の映像区間と前記周辺の映像区間の拡大縮小率のギャップを非線形スケーリングでつなげる処理を行なう遷移領域制御処理部と、
を具備する映像信号処理装置。
【請求項２】
前記中央領域制御処理部は、立体映像の立体感を強調するときは前記中央の映像区間を拡大処理し、立体映像の立体感を和らげるときには前記中央の映像区間を縮小処理する、
請求項１に記載の映像信号処理装置。
【請求項３】
前記周辺領域制御処理部は、前記周辺の映像区間の映像信号の解像度又はコントラストを低下させ、
前記遷移領域制御処理部は、前記遷移する映像区間の映像信号の解像度又はコントラストを低下させる、
請求項１に記載の映像信号処理装置。
【請求項４】
前記遷移領域制御処理部は、前記中央領域制御処理部が前記中央の映像区間を拡大処理するときは、前記遷移する区間のうち水平方向に長い部分で水平方向に拡大し垂直方向に縮小するとともに、前記遷移する区間のうち垂直方向に長い部分で水平方向に縮小し垂直方向に拡大し、前記中央領域制御処理部が前記中央の映像区間を縮小処理するときは、前記遷移する区間のうち水平方向に長い部分で水平方向に縮小し垂直方向に拡大するとともに、前記遷移する区間のうち垂直方向に長い部分で水平方向に拡大し垂直方向に縮小する、
請求項１に記載の映像信号処理装置。
【請求項５】
立体映像信号の中央の映像区間を、所望の立体感に応じた倍率で拡大し又は縮小する中央領域制御処理ステップと、
前記中央領域制御処理ステップで前記中央の映像区間を拡大したときに、前記立体映像信号の周辺の映像区間を対応する倍率で縮小処理し、前記中央領域制御処理ステップで前記中央の映像区間を縮小したときに、前記立体映像信号の周辺の映像区間を対応する倍率で拡大処理する周辺領域制御処理ステップと、
前記中央の映像区間と前記周辺の映像区間を遷移する映像区間において、前記中央の映像区間と前記周辺の映像区間の拡大縮小率のギャップを非線形スケーリングでつなげる処理を行なう遷移領域制御処理ステップと、
を有する映像信号処理方法。
【請求項６】
立体映像信号の処理をコンピューター上で実行するようにコンピューター可読形式で記述されたコンピューター・プログラムをーであって、前記コンピューターを、
立体映像信号の中央の映像区間を、所望の立体感に応じた倍率で拡大し又は縮小する中央領域制御処理部、
前記中央領域制御処理部が前記中央の映像区間を拡大したときに、前記立体映像信号の周辺の映像区間を対応する倍率で縮小処理し、前記中央領域制御処理部が前記中央の映像区間を縮小したときに、前記立体映像信号の周辺の映像区間を対応する倍率で拡大処理する周辺領域制御処理部、
前記中央の映像区間と前記周辺の映像区間を遷移する映像区間において、前記中央の映像区間と前記周辺の映像区間の拡大縮小率のギャップを非線形スケーリングでつなげる処理を行なう遷移領域制御処理部、
として機能させるためのコンピューター・プログラム。
【発明の詳細な説明】
【技術分野】
【０００１】
本発明は、左眼用映像信号及び右眼用映像信号からなる立体映像を処理する映像信号処理装置及び映像信号処理方法並びにコンピューター・プログラムに係り、特に、両眼視差量を調整して最適な立体感を実現する映像信号処理装置及び映像信号処理方法並びにコンピューター・プログラムに関する。
【背景技術】
【０００２】
左右の眼に視差のある映像を表示することで、観察者に立体的に見える立体映像を提示することができる。立体映像を提示する方式の１つとして、観察者に特殊な光学特性を持った眼鏡をかけさせ、両眼に視差をつけた画像を提示するものが挙げられる。例えば、時分割立体映像表示システムは、互いに異なる複数の映像を時分割で表示する表示装置と、映像の観察者がかけるシャッター眼鏡の組み合わせからなる。表示装置は、左眼用映像及び右眼用映像を非常に短い周期で交互に画面表示すると同時に、左眼用映像及び右眼用映像の周期に同期して左眼及び右眼に映像を分離して提供する。一方、観察者が装着したシャッター眼鏡は、左眼用映像がディスプレイされる間に、シャッター眼鏡の左眼部が光を透過させ、右眼部が遮光する。また、右眼用映像がディスプレイされる間に、シャッター眼鏡の右眼部が光を透過させ、左眼部が遮光し、右眼用映像がディスプレイされる間に、シャッター眼鏡の右眼部が光を透過させ、左眼部が遮光する。
【０００３】
立体映像を拡大すると、両眼視差量が大きくなる結果として立体感が増すことが知られている（例えば、特許文献１を参照のこと）。しかしながら、両眼視差が大きすぎると、左右映像の融像が難しくなり、目の疲れやめまいを生じさせることがある。
【０００４】
また、画枠から飛び出す量や、立体感の効果の大きいソフトを見ると、疲れや不快感が生じることがある。
【先行技術文献】
【特許文献】
【０００５】
【特許文献１】特開２００４−３４９７３６号公報
【発明の概要】
【発明が解決しようとする課題】
【０００６】
本発明の目的は、両眼視差量を調整して最適な立体感を実現することができる、優れた映像信号処理装置及び映像信号処理方法並びにコンピューター・プログラムを提供することにある。
【０００７】
本発明のさらなる目的は、立体映像を拡大又は縮小処理して、両眼視差量を変化させ、目の疲れやめまいを生じさせることなく、最適な立体感を実現することができる、優れた映像信号処理装置及び映像信号処理方法並びにコンピューター・プログラムを提供することにある。
【課題を解決するための手段】
【０００８】
本願は、上記課題を参酌してなされたものであり、請求項１に記載の発明は、
立体映像信号の中央の映像区間を、所望の立体感に応じた倍率で拡大し又は縮小する中央領域制御処理部と、
前記中央領域制御処理部が前記中央の映像区間を拡大したときに、前記立体映像信号の周辺の映像区間を対応する倍率で縮小処理し、前記中央領域制御処理部が前記中央の映像区間を縮小したときに、前記立体映像信号の周辺の映像区間を対応する倍率で拡大処理する周辺領域制御処理部と、
前記中央の映像区間と前記周辺の映像区間を遷移する映像区間において、前記中央の映像区間と前記周辺の映像区間の拡大縮小率のギャップを非線形スケーリングでつなげる処理を行なう遷移領域制御処理部と、
を具備する映像信号処理装置である。
【０００９】
本願の請求項２に記載の発明によれば、請求項１に記載の映像信号処理装置の中央領域制御処理部は、立体映像の立体感を強調するときは前記中央の映像区間を拡大処理し、立体映像の立体感を和らげるときには前記中央の映像区間を縮小処理するように構成されている。
【００１０】
本願の請求項３に記載の発明によれば、請求項１に記載の映像信号処理装置の周辺領域制御処理部は、前記周辺の映像区間の映像信号の解像度又はコントラストを低下させ、遷移領域制御処理部は、前記遷移する映像区間の映像信号の解像度又はコントラストを低下させるように構成されている。
【００１１】
本願の請求項４に記載の発明によれば、請求項１に記載の映像信号処理装置の遷移領域制御処理部は、前記中央領域制御処理部が前記中央の映像区間を拡大処理するときは、前記遷移する区間のうち水平方向に長い部分で水平方向に拡大し垂直方向に縮小するとともに、前記遷移する区間のうち垂直方向に長い部分で水平方向に縮小し垂直方向に拡大し、前記中央領域制御処理部が前記中央の映像区間を縮小処理するときは、前記遷移する区間のうち水平方向に長い部分で水平方向に縮小し垂直方向に拡大するとともに、前記遷移する区間のうち垂直方向に長い部分で水平方向に拡大し垂直方向に縮小するように構成されている。
【００１２】
また、本願の請求項５に記載の発明は、
立体映像信号の中央の映像区間を、所望の立体感に応じた倍率で拡大し又は縮小する中央領域制御処理ステップと、
前記中央領域制御処理ステップで前記中央の映像区間を拡大したときに、前記立体映像信号の周辺の映像区間を対応する倍率で縮小処理し、前記中央領域制御処理ステップで前記中央の映像区間を縮小したときに、前記立体映像信号の周辺の映像区間を対応する倍率で拡大処理する周辺領域制御処理ステップと、
前記中央の映像区間と前記周辺の映像区間を遷移する映像区間において、前記中央の映像区間と前記周辺の映像区間の拡大縮小率のギャップを非線形スケーリングでつなげる処理を行なう遷移領域制御処理ステップと、
を有する映像信号処理方法である。
【００１３】
また、本願の請求項６に記載の発明は、立体映像信号の処理をコンピューター上で実行するようにコンピューター可読形式で記述されたコンピューター・プログラムをーであって、前記コンピューターを、
立体映像信号の中央の映像区間を、所望の立体感に応じた倍率で拡大し又は縮小する中央領域制御処理部、
前記中央領域制御処理部が前記中央の映像区間を拡大したときに、前記立体映像信号の周辺の映像区間を対応する倍率で縮小処理し、前記中央領域制御処理部が前記中央の映像区間を縮小したときに、前記立体映像信号の周辺の映像区間を対応する倍率で拡大処理する周辺領域制御処理部、
前記中央の映像区間と前記周辺の映像区間を遷移する映像区間において、前記中央の映像区間と前記周辺の映像区間の拡大縮小率のギャップを非線形スケーリングでつなげる処理を行なう遷移領域制御処理部、
として機能させるためのコンピューター・プログラムである。
【００１４】
本願の請求項６に係るコンピューター・プログラムは、コンピューター上で所定の処理を実現するようにコンピューター可読形式で記述されたコンピューター・プログラムを定義したものである。換言すれば、本願の請求項６に係るコンピューター・プログラムをコンピューターにインストールすることによって、コンピューター上では協働的作用が発揮され、本願の請求項１に係る映像信号処理装置と同様の作用効果を得ることができる。
【発明の効果】
【００１５】
本発明によれば、立体映像を拡大又は縮小処理して、両眼視差量を変化させ、目の疲れやめまいを生じさせることなく、最適な立体感を実現することができる、優れた映像信号処理装置及び映像信号処理方法並びにコンピューター・プログラムを提供することができる。
【００１６】
本願の請求項１、２、４乃至６に記載の発明によれば、画面の中央の映像区間を拡大し画面の周辺の映像区間を縮小することで、両眼視差量の大きな、立体感を強調した立体映像信号を得ることができ、画面の中央の映像区間を縮小し画面の周辺の映像区間を拡大することで、両眼視差量が減少し、立体感を和らげた立体映像信号を得ることができる。また、画面の中央の映像区間と周辺の映像区間を遷移する映像区間を、非線形スケーリングでつなげることで見えない映像区間が存在しなくなる。
【００１７】
本願の請求項３に記載の発明によれば、周辺の映像区間の映像信号の解像度やコントラストを低下させることで、中央の映像区間とは逆の立体感になることに対する違和感を少なくすることができる。また、遷移する映像区間の映像信号の解像度やコントラストを低下させることで、拡大縮小率が変化することに対する違和感を少なくすることができる。
【００１８】
本発明のさらに他の目的、特徴や利点は、後述する本発明の実施形態や添付する図面に基づくより詳細な説明によって明らかになるであろう。
【図面の簡単な説明】
【００１９】
【図１】図１は、本発明を適用可能な立体映像表示システムの構成を模式的に示した図である。
【図２】図２は、Ｌサブフレーム期間におけるシャッター眼鏡２０の制御動作を示した図である。
【図３】図３は、Ｒサブフレーム期間におけるシャッター眼鏡２０の制御動作を示した図である。
【図４Ａ】図４Ａは、立体感の調整画面の構成例を示した図（但し、立体感を強調する場合）である。
【図４Ｂ】図４Ｂは、立体感の調整画面の構成例を示した図（但し、立体感を和らげる場合）である。
【図５】図５は、画面の中央を拡大させるとともに周辺を縮小した様子を示した図である。
【図６】図６は、画面の中央を縮小させるとともに周辺を拡大した様子を示した図である。
【図７】図７は、立体感の調整方法を実現するための制御処理を行なう機能ブロック図である。
【発明を実施するための形態】
【００２０】
以下、図面を参照しながら本発明の実施形態について詳細に説明する。
【００２１】
図１には、本発明を適用可能な立体映像表示システム１の構成を模式的に示している。図示の立体映像表示システム１は、左眼用映像Ｌ及び右眼用映像Ｒを非常に短い周期で交互に画面表示する液晶ディスプレイ１０と、観察者が頭部に装着するシャッター眼鏡２０からなる。
【００２２】
液晶ディスプレイ１０は、液晶表示パネル１１と、バックライト１２と、映像信号処理部１３と、シャッター眼鏡２０のシャッター機構の開閉タイミングを制御するシャッター制御部１４と、タイミング制御部１５と、バックライト制御部１６と、データ・ドライバー１７及びゲート・ドライバー１８を備えている。本実施形態では、液晶ディスプレイ１０は、左右の視差を有する右眼用映像信号ＤR及び左眼用映像信号ＤLを含む入力映像信号Ｄinに基づいて、映像を表示出力する。
【００２３】
液晶表示パネル１１は、例えば、画素毎にＴＦＴを配置したアクティブ・マトリックス型である。バックライト１２は、液晶表示パネル１１に対して光を照射する光源である。バックライト１２は、バックライト制御部１６から供給される制御信号ＣＴＬBに基づいて、その点灯（発光）動作と消灯動作を時分割で切り換えるように制御される。
【００２４】
バックライト１２には、例えば、ＬＥＤ（Ｌｉｇｈｔ  Ｅｍｉｔｔｉｎｇ  Ｄｉｏｄｅ）やＣＣＦＬ（Ｃｏｌｄ  Ｃａｔｈｏｄｅ  Ｆｌｕｏｒｅｓｃｅｎｔ  Ｌａｍｐ）などを用いることができる。但し、ＣＣＦＬを用いると、残光が生じ易く、また、ＲＧＢの色毎の残光特性が異なってくる。そこで、以下では、残光の少ないＬＥＤをバックライト１２に用いるものとして説明する。
【００２５】
液晶表示パネル１１は、全体としてマトリックス状に配列された複数の画素を有し、データ・ドライバー１７から供給される映像電圧に基づいてバックライト１２から発せられる光を、ゲート・ドライバー１８から供給される駆動信号に従って変調することにより、入力映像信号Ｄinに基づく映像表示を行なう。本実施形態では、液晶表示パネル１１は、１フレーム期間などの所定の周期内で、右眼用映像信号ＤRに基づく右眼用映像Ｒと左眼用映像信号ＤLに基づく左眼用映像Ｌとを、時分割で交互に表示する。
【００２６】
映像信号処理部１３は、入力映像信号Ｄinに基づいて、右眼用映像信号ＤR及び左眼用映像信号ＤLの液晶表示パネル１１への書き込み順序（すなわち、表示順序）の制御を行なうことによって、液晶表示パネル１１への映像信号を生成する。本実施形態では、映像信号処理部１３は、入力映像信号Ｄinから、１フレーム期間内において、左眼用映像信号ＤL及び右眼用映像信号Ｄが交互に配置された映像信号Ｄ１を生成する。なお、以下では、１フレーム期間のうち、左眼用映像Ｌの表示期間を「Ｌサブフレーム期間」、右眼用映像Ｒの表示期間を「Ｒサブフレーム期間」と呼ぶことにする。
【００２７】
また、映像信号処理部１３は、立体映像を拡大又は縮小処理して、両眼視差量を変化させて、所望の立体感を実現するが、この点についての詳細は後述に譲る。
【００２８】
タイミング制御部１５は、ゲート・ドライバー１８及びデータ・ドライバー１７の駆動タイミングを制御するとともに、映像信号処理部１３から供給される映像信号Ｄ１をデータ・ドライバー１７に供給する。タイミング制御部１５は、映像信号Ｄ１に対してオーバードライブ処理を行なうようにしてもよい。
【００２９】
ゲート・ドライバー１８は、タイミング制御部１５によるタイミング制御に従って、液晶表示パネル１１内の各画素をゲート線に沿って順次駆動する。
【００３０】
データ・ドライバー１７は、液晶表示パネル１１の各画素へ、タイミング制御部１５から供給される映像信号Ｄ１に基づく映像電圧を供給する。具体的には、映像信号Ｄ１にＤ／Ａ変換を施して、映像電圧に相当するアナログ映像信号を生成して、各画素へ出力する。
【００３１】
シャッター制御部１４は、映像信号処理部１３による右眼用映像信号ＤR及び左眼用映像信号ＤLの出力タイミングに対応する、左右のシャッター機構の開閉切り換えを制御するためのタイミング制御信号ＣＴＬを、シャッター眼鏡２０に出力する。
【００３２】
シャッター眼鏡２０は、液晶ディスプレイ１０の観察者（図１には図示しない）が装着して、立体視を可能にする。シャッター眼鏡２０は、左眼用レンズ２１Ｌと右眼用レンズ２１Ｒを有している。左眼用レンズ２１Ｌと右眼用レンズ２１Ｒには、開口部を遮光するための遮光シャッター（図示しない）がそれぞれ配設されている。遮光シャッターは、例えば液晶シャッターなどにより構成される。これらの遮光シャッターにおける遮光機能の有効状態（すなわち、閉成状態）、及び、無効状態（すなわち、開成状態）は、シャッター制御部１４から供給される制御信号ＣＴＬにより制御される。
【００３３】
シャッター制御部１４は、左眼用映像Ｌ及び右眼用映像Ｒの各表示期間に対応して、左眼用レンズ２１Ｒ及び右眼用レンズ２１Ｌの各々の開成状態と閉成状態が交互に切り換わるように、シャッター眼鏡２０の遮光シャッターの制御を行なう。具体的には、Ｌサブフレーム期間には、左眼用レンズ２１Ｌの遮光シャッターを開成状態に、右眼用レンズ２１Ｒの遮光シャッターを閉成状態にする一方、Ｒサブフレーム期間には、右眼用レンズ２１Ｒの初期の遮光シャッターを開成状態に、左眼用レンズ２１Ｌの遮光シャッターを閉成状態にするための制御を行なう。
【００３４】
図２には、Ｌサブフレーム期間におけるシャッター眼鏡２０の制御動作を示している。図示のように、Ｌサブフレーム期間には、シャッター制御部１４からの制御信号ＣＴＬにより、左眼用レンズ２１Ｌのシャッターを開成状態、右眼用レンズ２１Ｒのシャッターを閉成状態とし、左眼用映像Ｌに基づく表示光ＬＬが左眼用レンズ２１Ｌのみを透過する。また、図３には、Ｒサブフレーム期間におけるシャッター眼鏡２０の制御動作を示している。図示のように、Ｒサブフレーム期間には、シャッター制御部１４からの制御信号ＣＴＬにより、右眼用レンズ２１Ｒのシャッターを開成状態、左眼用レンズ２１Ｌのシャッターを閉成状態とし、右眼用映像Ｒに基づく表示光ＲＲが右眼用レンズ２１Ｒのみを透過する。
【００３５】
図１に示した立体映像表示システムにおいて、映像信号処理部１３が立体映像を拡大又は縮小処理すると、両眼視差量が変化し、所望の立体感を実現することができる。
【００３６】
しかしながら、両眼視差が大きすぎると、左右映像の融像が難しくなり、目の疲れやめまいを生じさせることがある。また、画枠から飛び出す量や、立体感の効果の大きいソフトを見ると、疲れや不快感が生じることがある。
【００３７】
そこで、本発明者らは、画像（入力立体映像）を中央領域と周辺領域に分け、領域毎に拡大と縮小を行なうことで、目の疲れやめまいを生じさせることなく、最適な立体感を実現する方法を提案する。
【００３８】
図４には、本発明に係る立体感の実現方法を図解している。図示の立体感の調整画面は、映像区間が、中央領域と、周辺領域と、中央領域と周辺領域の間の遷移領域に分けられている。但し、図４Ａは画面の中央を拡大して立体感を強調する場合であり、図４Ｂは画面の中央を縮小して立体感を和らげる場合である。
【００３９】
画面の中央を拡大すると、両眼視差量が大きくなり、立体感が増す。この場合、中央領域は、水平方向（Ｈ）及び垂直方向（Ｖ）ともにＮ倍に拡大される。これに対し、周辺領域は、Ｎを引数とする関数ｆ（Ｎ）を用いて表すと、水平方向（Ｈ）及び垂直方向（Ｖ）ともに１／ｆ（Ｎ）倍に縮小される。ｆ（Ｎ）は単調増加関数であり、典型的にはｆ（Ｎ）＝Ｎである。
【００４０】
遷移領域は、中央領域と周辺領域の間における水平方向（Ｈ）及び垂直方向（Ｖ）の拡大縮小率のギャップを、非線形スケーリングでつなげる。図４Ａに示す例では、遷移領域はほぼ口の字になるが、このうち水平方向に長い部分では、水平方向（Ｈ）に拡大するとともに、垂直方向（Ｖ）には縮小する。また、口の字のうち垂直方向に長い部分では、水平方向（Ｈ）に縮小するとともに、垂直方向（Ｖ）には拡大する。また、遷移領域の拡大縮小率は、中央領域に近い付近ほどＮ倍に近い倍率で拡大され、中央領域から離れるにつれ徐々に拡大率は低くなり、周辺領域に近づくにつれ１／ｆ（Ｎ）倍に近い倍率で縮小される。遷移領域は微妙な立体感になるが、見えない映像区間は存在しない。
【００４１】
図５には、画面の中央を拡大させるとともに周辺を縮小した様子を示している。中央で両眼視差が増大し、立体感が強調されることを理解できよう。
【００４２】
なお、周辺領域や遷移領域は、解像度やコントラストを大幅に低下させる。周辺領域の映像区間は、中央領域とは逆の立体感になるが、周波数特性やコントラストを低下させることで、違和感を少なくすることができる。
【００４３】
逆に、画面の中央を縮小すると、前後感は低下し、適度な立体感が得られる。この場合、中央領域は、水平方向（Ｈ）及び垂直方向（Ｖ）ともに１／Ｎ倍に縮小される。これに対し、周辺領域は、Ｎを引数とする関数ｆ（Ｎ）を用いて表すと、水平方向（Ｈ）及び垂直方向（Ｖ）ともにｆ（Ｎ）倍に拡大される。ｆ（Ｎ）は単調増加関数であり、典型的にはｆ（Ｎ）＝Ｎである。
【００４４】
遷移領域は、中央領域と周辺領域の間における水平方向（Ｈ）及び垂直方向（Ｖ）の拡大縮小率のギャップを、非線形スケーリングでつなげる。図４Ｂに示す例では、遷移領域はほぼ口の字になるが、このうち水平方向に長い部分では、水平方向（Ｈ）に縮小するとともに、垂直方向（Ｖ）には拡大する。また、口の字のうち垂直方向に長い部分では、水平方向（Ｈ）に拡大するとともに、垂直方向（Ｖ）には縮小する。また、遷移領域の拡大縮小率は、中央領域に近い付近ほど１／Ｎ倍に近い倍率で縮小され、中央領域から離れるにつれ徐々に拡大率は高くなり、周辺領域に近づくにつれｆ（Ｎ）に近い倍率で拡大される。遷移領域は微妙な立体感になるが、見えない映像区間は存在しない。
【００４５】
図６には、画面の中央を縮小させるとともに周辺を拡大した様子を示している。中央で両眼視差が減少し、立体感が和らぐことを理解できよう。
【００４６】
なお、周辺領域や遷移領域は、解像度やコントラストを大幅に低下させる。周辺領域の映像区間は、中央領域とは逆の立体感になるが、周波数特性やコントラストを低下させることで、違和感を少なくすることができる。
【００４７】
図７には、上述した立体感の調整方法を実現するための制御処理を行なう機能ブロック図を示している。
【００４８】
中央領域制御処理部７１は、映像区間のうち中央領域の拡大縮小処理を行なう。立体感を強調する場合、中央領域制御処理部７１は、中央領域を、水平方向（Ｈ）及び垂直方向（Ｖ）ともにＮ倍に拡大する。拡大率Ｎは、所望の立体感に応じて決定される。逆に、立体感を和らげる場合、中央領域制御処理部７１は、中央領域を、水平方向（Ｈ）及び垂直方向（Ｖ）ともに１／Ｎ倍に縮小する。
【００４９】
周辺領域制御処理部７２は、中央領域の拡大縮小処理に対応して、映像区間のうち周辺領域の縮小拡大処理を行なう。中央領域において立体感を強調する場合、周辺領域制御処理部７２は、周辺領域を、水平方向（Ｈ）及び垂直方向（Ｖ）ともに１／ｆ（Ｎ）倍に縮小する。逆に、中央領域において立体感を和らげる場合、周辺領域制御処理部７２は、周辺領域を、水平方向（Ｈ）及び垂直方向（Ｖ）ともにｆ（Ｎ）倍に拡大する。
【００５０】
また、周辺領域制御処理部７２は、周辺領域の解像度やコントラストを大幅に低下させる。周辺領域の映像区間は、中央領域とは逆の立体感になるが、周波数特性やコントラストを低下させることで、違和感を少なくすることができる。
【００５１】
遷移領域制御処理部７３は、中央領域の拡大縮小処理並びに周辺領域の縮小拡大処理に対応して、映像区間のうち遷移領域について、中央領域と周辺領域の間における水平方向（Ｈ）及び垂直方向（Ｖ）の拡大縮小率のギャップを非線形スケーリングでつなげる処理を行なう。
【００５２】
中央領域において立体感を強調する場合、遷移領域制御処理部７３は、遷移領域のうち水平方向に長い部分で水平方向（Ｈ）に拡大し垂直方向（Ｖ）に縮小するとともに、遷移領域のうち垂直方向に長い部分で水平方向（Ｈ）に縮小し垂直方向（Ｖ）に拡大する。また、遷移領域の拡大縮小率は、中央領域に近い付近ほどＮ倍に近い倍率で拡大され、中央領域から離れるにつれ徐々に拡大率は低くなり、周辺領域に近づくにつれ１／ｆ（Ｎ）倍に近い倍率で縮小される。
【００５３】
逆に、中央領域において立体感を和らげる場合、遷移領域制御処理部７３は、遷移領域のうち水平方向に長い部分で水平方向（Ｈ）に縮小し垂直方向（Ｖ）に拡大するとともに、遷移領域のうち垂直方向に長い部分で水平方向（Ｈ）に拡大し垂直方向（Ｖ）に縮小する。また、遷移領域の拡大縮小率は、中央領域に近い付近ほど１／Ｎ倍に近い倍率で縮小され、中央領域から離れるにつれ徐々に拡大率は高くなり、周辺領域に近づくにつれｆ（Ｎ）倍に近い倍率で拡大される。
【００５４】
また、遷移領域制御処理部７３は、遷移領域の解像度やコントラストを大幅に低下させる。遷移領域の映像区間における拡大縮小率は変化するが、周波数特性やコントラストを低下させることで、違和感を少なくすることができる。
【産業上の利用可能性】
【００５５】
以上、特定の実施形態を参照しながら、本発明について詳細に説明してきた。しかしながら、本発明の要旨を逸脱しない範囲で当業者が該実施形態の修正や代用を成し得ることは自明である。
【００５６】
本明細書で説明した実施形態における一連の処理は、ハードウェア、ソフトウェアのいずれにより行なうこともできる。当該処理をソフトウェアによって実現する場合には、ソフトウェアにおける処理手順をコンピューター可読形式に記述したコンピューター・プログラムを所定のコンピューターにインストールして実行すればよい。また、このコンピューター・プログラムは、液晶ディスプレイなどの製品に組み込んでおくこともできる。
【００５７】
要するに、例示という形態で本発明を開示してきたのであり、本明細書の記載内容を限定的に解釈するべきではない。本発明の要旨を判断するためには、特許請求の範囲を参酌すべきである。
【符号の説明】
【００５８】
１…立体映像表示システム
１０…液晶ディスプレイ
２０…シャッター眼鏡
１１…液晶表示パネル
１２…バックライト
１３…映像信号処理部
１４…シャッター制御部
１５…タイミング制御部
１６…バックライト制御部
１７…データ・ドライバー
１８…ゲート・ドライバー
２０…シャッター眼鏡
２１Ｌ…左眼用レンズ、２１Ｒ…右眼用レンズ
７１…中央領域制御処理部
７２…周辺領域制御処理部
７３…遷移領域制御処理部
【図１】
2011254414.tif 000003
【図４Ａ】
2011254414.tif 000004
【図４Ｂ】
2011254414.tif 000005
【図５】
2011254414.tif 000006
【図６】
2011254414.tif 000007
【図７】
2011254414.tif 000008
【図２】
2011254414.tif 000009
【図３】
2011254414.tif 000010